(57)【要約】【課題】調剤過誤防止システムに係り、調剤における薬品の取り違い、二重の調剤、調剤漏れを防止することを課題とする。【解決手段】調剤の際に、バーコード入力部３から、薬品の容器等に付されたバーコードを読み取り、調剤薬品確認部４は、処方箋情報と比較し、薬品の取り違いに対する処方外警告、二重の調剤に対する二重調剤警告の出力を指示する。また、調剤漏れ検出部８は、最終的な調剤漏れに対する調剤漏れ警告の出力を指示する。【選択図】図１
2010115518.tif 000002
【特許請求の範囲】
【請求項１】
以下の要素を有することを特徴とする調剤過誤防止システム
（１）薬品を識別する薬品識別情報を含む処方箋情報を入力する処方箋情報入力部
（２）処方薬品毎に未処理と処理済を識別する処理フラグを設けて、入力した処方箋情報を記憶する処方箋情報記憶部
（３）調剤する薬品に関連付けられているバーコードを読み取るバーコード入力部
（４）読み取ったバーコードにより特定される調剤薬品が、処方箋情報入力部が入力した処方箋情報に含まれる薬品識別情報により特定される処方薬品のうちのいずれかと一致するか否かを判定し、一致しない場合に処方外警告の出力を指示し、一致する場合に当該処方薬品に対応する処理フラグを未処理から処理済みに更新する調剤薬品確認部
（５）処方箋情報入力部が入力した処方箋情報に対する調剤の終了を入力する終了入力部
（６）処方箋情報に対する調剤の終了を終了入力部が入力した後に、前記処方薬品のすべてについて、対応する処理フラグが未処理であるか判定し、いずれかの処方薬品の処理フラグが未処理である場合に、調剤漏れ警告の出力を指示する調剤漏れ検出部
（７）調剤薬品確認部より指示された処方外警告を出力し、調剤漏れ検出部より指示された調剤漏れ警告を出力する出力部。
【請求項２】
前記調剤漏れ検出部は、更に、前記処方薬品のすべての処理フラグが処理済である場合に、適合通知の出力を指示することを特徴とする請求項１記載の調剤過誤防止システム。
【請求項３】
前記調剤漏れ検出部は、更に、未調剤薬品の薬品名を特定して、特定した薬品名の出力
を指示することを特徴とする請求項１記載の調剤過誤防止システム。
【請求項４】
前記調剤漏れ検出部は、更に、未調剤薬品の格納位置を特定し、特定した格納位置の出
力を指示することを特徴とする請求項１記載の調剤過誤防止システム。
【請求項５】
前記薬品識別情報は、薬品名であることを特徴とする請求項１記載の調剤過誤防止シス
テム。
【請求項６】
前記薬品識別情報は、薬品コードであることを特徴とする請求項１記載の調剤過誤防止
システム。
【請求項７】
出力部は、警告として音を出力することを特徴とする請求項１記載の調剤過誤防止シス
テム。
【請求項８】
出力部は、警告として振動を出力することを特徴とする請求項１記載の調剤過誤防止シ
ステム。
【請求項９】
出力部は、警告として光を出力することを特徴とする請求項１記載の調剤過誤防止シス
テム。
【請求項１０】
出力部は、警告として警告文を表示することを特徴とする請求項１記載の調剤過誤防止
システム。
【請求項１１】
処方薬品毎に未処理と処理済を識別する処理フラグを設けて、処方箋情報を記憶する処
方箋情報記憶部を有する調剤過誤防止システムによる調剤過誤防止方法であって、以下の
要素を有することを特徴とする調剤過誤防止方法
（１）薬品を識別する薬品識別情報を含む処方箋情報を入力し、処方薬品毎に未処理と処
理済を識別する処理フラグを設けて、処方箋情報を処方箋情報記憶部に記憶させる処方箋
情報入力工程
（２）調剤する薬品に関連付けられているバーコードを読み取るバーコード入力工程
（３）読み取ったバーコードにより特定される調剤薬品が、処方箋情報入力工程により入力した処方箋情報に含まれる薬品識別情報により特定される処方薬品のうちのいずれかと一致するか否かを判定し、一致しない場合に処方外警告を出力し、一致する場合に当該処方薬品に対応する処理フラグを未処理から処理済みに更新する調剤薬品確認工程
（４）処方箋情報入力工程により入力した処方箋情報に対する調剤の終了を入力する終了入力工程
（５）入力した処方箋情報に対する調剤の終了を終了入力工程により入力した後に、前記処方薬品のすべてについて、対応する処理フラグが未処理であるか判定し、いずれかの処方薬品の処理フラグが未処理である場合に、調剤漏れ警告を出力する調剤漏れ検出工程。
【請求項１２】
処方薬品毎に未処理と処理済を識別する処理フラグを設けて、処方箋情報を記憶する処
方箋情報記憶部を有する調剤過誤防止システムとなるコンピュータに、以下の手順を実行
させるためのプログラム
（１）薬品を識別する薬品識別情報を含む処方箋情報を入力し、処方薬品毎に未処理と処
理済を識別する処理フラグを設けて、処方箋情報を処方箋情報記憶部に記憶させる処方箋
情報入力手順
（２）調剤する薬品に関連付けられているバーコードを読み取るバーコード入力手順
（３）読み取ったバーコードにより特定される調剤薬品が、処方箋情報入力手順により入力した処方箋情報に含まれる薬品識別情報により特定される処方薬品のうちのいずれかと一致するか否かを判定し、一致しない場合に処方外警告を出力し、一致する場合に当該処方薬品に対応する処理フラグを未処理から処理済みに更新する調剤薬品確認手順
（４）処方箋情報入力手順により入力した処方箋情報に対する調剤の終了を入力する終了入力手順
（５）入力した処方箋情報に対する調剤の終了を処方箋情報入力手順により入力した後に、前記処方薬品のすべてについて、対応する処理フラグが未処理であるか判定し、いずれかの処方薬品の処理フラグが未処理である場合に、調剤漏れ警告を出力する調剤漏れ検出手順。
【発明の詳細な説明】
【技術分野】
【０００１】
本発明は、調剤過誤防止システムに係り、調剤における薬品の取り違い、二重の調剤、調剤漏れを防止できる技術に関する。
【背景技術】
【０００２】
調剤薬局において、処方箋に基づいて調剤する場合に、処方された薬品を正確に取りだし、調剤しなければならない。
【０００３】
しかし、現実には薬品の取り違い、二重の調剤、調剤漏れなどの不具合が発生することがある。
【特許文献１】特開２００２−２３６７４８号公報
【特許文献２】特開昭６０−２１７６１号公報
【特許文献３】特開２０００−２７６５５１号公報
【特許文献４】特開２００１−３５７１３２号公報
【発明の開示】
【発明が解決しようとする課題】
【０００４】
本発明は、上記した従来技術の欠点を除くためになされたものであって、その目的とするところは、調剤過誤防止システムにより、調剤における薬品の取り違い、二重の調剤、調剤漏れを防止することである。
【課題を解決するための手段】
【０００５】
本発明に係る調剤過誤防止システムは、
以下の要素を有することを特徴とする
（１）薬品を識別する薬品識別情報を含む処方箋情報を入力する処方箋情報入力部
（２）調剤する薬品に関連付けられているバーコードを読み取るバーコード入力部
（３）読み取ったバーコードにより特定される調剤薬品が、入力した処方箋情報に含まれる薬品識別情報により特定される処方薬品のうちのいずれかと一致するか否かを判定し、一致しない場合に警告の出力を指示する調剤薬品確認部
（４）調剤薬品確認部より指示された警告を出力する出力部。
【０００６】
前記調剤薬品確認部は、読み取ったバーコードにより特定される調剤薬品が、既に一致するとして判定済みの処方薬品である場合に、警告の出力を指示することを特徴とする。
【０００７】
前記調剤薬品確認部は、読み取ったバーコードにより特定される調剤薬品が、入力した処方箋情報に含まれる薬品識別情報により特定される処方薬品のうちのいずれかと一致する場合であって、既に一致するとして判定済みの処方薬品ではない場合に、適合通知の出力を指示することを特徴とする。
【０００８】
前記調剤過誤防止システムは、更に、
前記処方薬品のうち、前記調剤薬品のいずれにも該当しない未調剤薬品が存在する場合に、警告の出力を指示する調剤漏れ検出部を有することを特徴とする。
【０００９】
前記調剤漏れ検出部は、更に、前記処方薬品のうち、前記調剤薬品のいずれにも該当しない未調剤薬品が存在しない場合に、適合通知の出力を指示することを特徴とする。
【００１０】
前記調剤漏れ検出部は、更に、未調剤薬品の薬品名を特定して、特定した薬品名の出力
を指示することを特徴とする。
【００１１】
前記調剤漏れ検出部は、更に、未調剤薬品の格納位置を特定し、特定した格納位置の出力を指示することを特徴とする。
【００１２】
前記薬品識別情報は、薬品名であることを特徴とする。
【００１３】
前記薬品識別情報は、薬品コードであることを特徴とする。
【００１４】
出力部は、警告として音を出力することを特徴とする。
【００１５】
出力部は、警告として振動を出力することを特徴とする。
【００１６】
出力部は、警告として光を出力することを特徴とする。
【００１７】
出力部は、警告として警告文を表示することを特徴とする。
【００１８】
本発明に係る調剤過誤防止方法は、
調剤過誤防止システムによる調剤過誤防止方法であって、以下の要素を有することを特徴とする
（１）薬品を識別する薬品識別情報を含む処方箋情報を入力する工程
（２）調剤する薬品に関連付けられているバーコードを読み取る工程
（３）読み取ったバーコードにより特定される調剤薬品が、入力した処方箋情報に含まれる薬品識別情報により特定される処方薬品のうちのいずれかと一致するか否かを判定し、一致しない場合に警告の出力を指示する工程
（４）調剤薬品確認部より指示された警告を出力する工程。
【００１９】
本発明に係るプログラムを記録したコンピュータ読み取り可能な記録媒体は、
調剤過誤防止システムとなるコンピュータに、以下の処理を実行させるためのプログラムを記録したコンピュータ読み取り可能な記録媒体であることを特徴とする
（１）薬品を識別する薬品識別情報を含む処方箋情報を入力する処理
（２）調剤する薬品に関連付けられているバーコードを読み取る処理
（３）読み取ったバーコードにより特定される調剤薬品が、入力した処方箋情報に含まれる薬品識別情報により特定される処方薬品のうちのいずれかと一致するか否かを判定し、一致しない場合に警告の出力を指示する処理
（４）調剤薬品確認部より指示された警告を出力する処理。
【００２０】
本発明に係るプログラムは、
調剤過誤防止システムとなるコンピュータに、以下の手順を実行させるためのプログラムであることを特徴とする
（１）薬品を識別する薬品識別情報を含む処方箋情報を入力する手順
（２）調剤する薬品に関連付けられているバーコードを読み取る手順
（３）読み取ったバーコードにより特定される調剤薬品が、入力した処方箋情報に含まれる薬品識別情報により特定される処方薬品のうちのいずれかと一致するか否かを判定し、一致しない場合に警告の出力を指示する手順
（４）調剤薬品確認部より指示された警告を出力する手順。
【発明の効果】
【００２１】
本発明においては、読み取ったバーコードにより特定される調剤薬品が、入力した処方箋情報に含まれる処方薬品のうちのいずれかと一致するか否かを判定し、一致しない場合
に警告を出力するので、処方外の薬品を調剤するミスを防止することができる。
【００２２】
また、読み取ったバーコードにより特定される調剤薬品が、既に一致するとして判定済みの処方薬品である場合に、警告を出力するので、二重に調剤するミスを防止することができる。
【００２３】
また、読み取ったバーコードにより特定される調剤薬品が、入力した処方箋情報に含まれる処方薬品のうちのいずれかと一致する場合であって、既に一致するとして判定済みの処方薬品ではない場合に、適合通知を出力するので、正常な調剤を促すことが出来る。
【００２４】
処方薬品のうち、調剤薬品のいずれにも該当しない未調剤薬品が存在する場合に、警告を出力するので、調剤漏れのミスを防止することができる。
【００２５】
処方薬品のうち、調剤薬品のいずれにも該当しない未調剤薬品が存在しない場合に、適合通知を出力するので、正常な調剤を確認することが出来る。
【００２６】
未調剤薬品の薬品名を出力するので、調剤漏れ薬品の確認を容易にすることができる。
【００２７】
未調剤薬品の格納位置を出力するので、調剤漏れ薬品の調剤作業を効率化できる。
【発明を実施するための最良の形態】
【００２８】
実施の形態１．
以下本発明を図面に示す実施例に基づいて説明する。図１は、調剤過誤防止システムの構成を示す図である。
【００２９】
１は、処方箋情報入力部、２は、処方箋情報記憶部、３は、バーコード入力部、４は、調剤薬品確認部、５は、表示部、６は、音源部、７は、終了入力部、８は、調剤漏れ検出部、９は、調剤結果出力部である。この調剤過誤防止システムは、例えば、バーコードリーダを備えるハンドヘルドコンピュータのような単体装置でもよいし、バーコードリーダと処理装置とを接続するシステムであってもよい。情報の入出力手段としては、有線、無線や赤外線等の通信手段を用いてもよいし、フレキシブルディスクやＣＤ等の記録媒体を用いてもよい。また、表示部５と音源部６については、通信手段を介して接続する形態であっても構わない。
【００３０】
続いて処理について説明する。図２は、全体処理フローを示す図である。
【００３１】
処方箋情報入力部１は、処方箋情報入力処理（Ｓ２０１）を行う。この処理により、患者名とともに、処方箋情報を入力する。処方箋情報は、少なくとも薬品を特定する情報（例えば、薬品コードあるいは薬品名）を含んでいる。入力した情報は、処方箋情報記憶部２に記憶される。
【００３２】
図３は、処方箋情報記憶部の構成例を示す図である。患者名３０５に対応付けて、テーブルが設けられている。薬品コード３０１に対応付けて、薬品名３０２、棚番号３０３、処理フラグ３０４の各項目を有し、処方薬品毎にレコード３５１、３５２が設けられている。棚番号３０３は、マスターから引用することにより設定される。
【００３３】
その後、図２に示すように、調剤過誤防止システムは入力待ち（Ｓ２０２）となる。この状態で、調剤者は、調剤をしようとする薬品の容器に付されたバーコードを読み取る。そのため、バーコード入力部３によりバーコード入力されると（Ｓ２０３）、調剤薬品確認部４は、調剤薬品確認処理（Ｓ２０４）を行う。
【００３４】
調剤薬品確認処理（Ｓ２０４）の詳細について説明する。図４は、調剤薬品確認処理フローを示す図である。
【００３５】
まず、バーコードを取得する（Ｓ４０１）。この例では、バーコードとして薬品コードを用いているが、バーコードから薬品コードを特定するようにしてもよい。次に、薬品コードをキーとして処方箋情報記憶部内を検索する（Ｓ４０２）。適合するレコードが存在しなかった場合には、処方外警告処理（Ｓ４０３）を行う。適合するレコードが存在する場合には、当該レコードの処理フラグを取得し、判定する（Ｓ４０４）。「処理済」の場合には、二重調剤警告処理（Ｓ４０５）を行う。「未処理」の場合には、適合処理（Ｓ４０６）を行う。
【００３６】
前述の処方外警告処理（Ｓ４０３）の詳細について説明する。図５は、処方外警告処理フローを示す図である。
【００３７】
調剤薬品確認部４は、表示部５へ処方外警告の表示指示を出力する（Ｓ５０１）。これにより、表示部５は、処方外警告を表示する。図６は、処方外警告の表示例を示す図である。
【００３８】
更に、音源部６へ警告音を鳴らす指示を出力する（Ｓ５０２）。これにより、音源部６は、警告音を出力する。
【００３９】
前述の二重調剤警告処理（Ｓ４０５）の詳細について説明する。図７は、二重調剤警告処理フローを図である。
【００４０】
調剤薬品確認部４は、表示部５へ二重調剤警告の表示指示を出力する（Ｓ７０１）。これにより、表示部５は、二重調剤警告を表示する。図８は、二重調剤警告の表示例を示す図である。
【００４１】
更に、音源部６へ警告音を鳴らす指示を出力する（Ｓ７０２）。これにより、音源部６は、警告音を出力する。警告音は、音色や音程により、警戒を促す音である。
【００４２】
前述の適合処理（Ｓ４０６）の詳細について説明する。図９は、適合処理フローを示す図である。
【００４３】
調剤薬品確認部４は、当該処理フラグを「処理済」に更新し（Ｓ９０１）、表示部５へ適合通知の表示指示を出力する（Ｓ９０２）。これにより、表示部５は、適合通知を表示する。図１０は、適合通知の表示例を示す図である。
【００４４】
更に、音源部６へ適合通知音を鳴らす指示を出力する（Ｓ９０３）。これにより、音源部６は、適合通知音を出力する。適合通知音は、音色や音程により、順当である印象を与える音である。
【００４５】
調剤者は、調剤を終える場合に、調剤過誤防止システムへ「終了」の入力を行う。このため、図２の入力待ち（Ｓ２０２）の状態で、終了が入力されると（Ｓ２０５）、調剤漏れ検出処理（Ｓ２０６）に移行し、この処理後、調剤結果出力処理（Ｓ２０７）に移行する。
【００４６】
前述の調剤漏れ検出処理（Ｓ２０６）の詳細について説明する。図１１は、調剤漏れ検出処理フローを示す図である。
【００４７】
調剤漏れ検出部８は、処方箋情報記憶部２の各レコード毎（各処方薬品毎）に、以下の処理を繰り返す（Ｓ１１０１）。レコードに含まれる処理フラグを判定する（Ｓ１１０２）。「未処理」の場合には、調剤漏れ警告処理（Ｓ１１０３）を行う。
【００４８】
図１２は、調剤漏れ警告処理フローを示す図である。
【００４９】
薬品コードと薬品名の取得を取得し（Ｓ１２０１）、薬品コードと薬品名とを含む調剤漏れ警告の表示指示を、表示部５へ出力する（Ｓ１２０２）。更に、棚番号（未調剤薬品の格納位置の例）を取得し（Ｓ１２０３）、棚番号の表示指示を表示部５へ出力する（Ｓ１２０４）。これにより、表示部５は、調剤漏れ警告と棚番号を表示する。図１３は、調剤漏れ警告と棚番号の表示例を示す図である。
【００５０】
この例によらず、薬品コードと薬品名のいずれか一方のみを含む表示であっても構わない。また、棚番号の表示を省く形態であっても構わない。
【００５１】
音源部６へ警告音を鳴らす指示を出力する（Ｓ１２０５）。これにより、音源部６は、警告音を出力する。
【００５２】
その後、「確認」の入力待ちとなり（Ｓ１２０６）、「確認」が入力されると終了する。
【００５３】
図１１に示すように、すべての処方薬品について上述の処理を終了し（Ｓ１１０４）、すべての処方薬品の処理フラグが「処理済」であった場合には（Ｓ１１０５）、調剤正常終了処理（Ｓ１１０６）を行う。
【００５４】
図１４は、調剤正常終了処理フローを示す図である。調剤正常終了通知の表示指示を表示部５へ出力する（Ｓ１４０１）。これにより、表示部５は調剤正常終了通知を表示する。図１５は、調剤正常終了通知の表示例を示す図である。
【００５５】
更に、音源部６へ適合通知音を鳴らす指示を出力する（Ｓ１４０２）。
【００５６】
最後に、図２に示すように調剤結果出力処理（Ｓ２０７）を行う。調剤結果出力部９は、処方箋情報記憶部２に記憶している情報を、調剤結果として出力する。
【００５７】
前述の例では、警告として、音又は警告文を出力する形態を説明したが、警告として、バイブレータによる振動を出力し、あるいは、発光装置により光を出力するようにしてもよい。
【００５８】
調剤過誤防止システムは、コンピュータであり、各要素はプログラムにより処理を実行することができる。また、プログラムを記憶媒体に記憶させ、記憶媒体からコンピュータに読み取られるようにすることができる。
【図面の簡単な説明】
【００５９】
【図１】調剤過誤防止システムの構成を示す図である。
【図２】全体処理フローを示す図である。
【図３】処方箋情報記憶部の構成例を示す図である。
【図４】調剤薬品確認処理フローを示す図である。
【図５】処方外警告処理フローを示す図である。
【図６】処方外警告の表示例を示す図である。
【図７】二重調剤警告処理フローを図である。
【図８】二重調剤警告の表示例を示す図である。
【図９】適合処理フローを示す図である。
【図１０】適合通知の表示例を示す図である。
【図１１】調剤漏れ検出処理フローを示す図である。
【図１２】調剤漏れ警告処理フローを示す図である。
【図１３】調剤漏れ警告と棚番号の表示例を示す図である。
【図１４】調剤正常終了処理フローを示す図である。
【図１５】調剤正常終了通知の表示例を示す図である。
【符号の説明】
【００６０】
１  処方箋情報入力部、２  処方箋情報記憶部、３  バーコード入力部、４  調剤薬品確認部、５  表示部、６  音源部、７  終了入力部、８  調剤漏れ検出部、９  調剤結果出力部。
【図１】
2010115518.tif 000003
【図２】
2010115518.tif 000004
【図３】
2010115518.tif 000005
【図４】
2010115518.tif 000006
【図５】
2010115518.tif 000007
【図６】
2010115518.tif 000008
【図７】
2010115518.tif 000009
【図８】
2010115518.tif 000010
【図９】
2010115518.tif 000011
【図１０】
2010115518.tif 000012
【図１１】
2010115518.tif 000013
【図１２】
2010115518.tif 000014
【図１３】
2010115518.tif 000015
【図１４】
2010115518.tif 000016
【図１５】
2010115518.tif 000017